(57)【要約】【課題】スキャナユニット上に載置される原稿が取り忘れられた場合の原稿の情報が他人によって知られることを未然に防止する。【解決手段】スキャナユニット１０上に、ＡＤＦユニット２０がヒンジ機構３０によって開閉自在に取り付けられており、開閉駆動モータ３４によって、ＡＤＦユニット２０が開閉駆動される。操作者がスキャナユニット１０上に載置した原稿の画像を、スキャナユニット１０による読み取り作業が終了すると、ＡＤＦユニット２０を開動作させた後に、操作者が立ち去ると閉動作させる制御の実行を、操作者によって入力される情報に含まれる役職、メール等の宛先、仕上げモード、操作者のＲＦＩＤ情報含まれる役職、原稿のＲＦＩＤ情報に含まれる取扱者の役職の少なくとも一つによって設定されるセキュリティレベルが所定の閾値よりも高い場合に設定する。【選択図】  図５
2010219981.tif 000002
【特許請求の範囲】
【請求項１】
スキャナユニット上に、自動原稿搬送ユニットがヒンジ機構によって開閉自在に取り付けられた画像読取装置であって、
前記自動原稿搬送ユニットを開閉駆動する開閉駆動手段と、
前記スキャナユニットの原稿読取位置に操作者が載置した原稿のセキュリティレベルに関する情報を取得する取得手段と、
前記取得手段にて取得された前記セキュリティレベルに関する情報からセキュリティレベルを設定し、当該セキュリティレベルが所定の閾値よりも高い場合に、前記原稿の読み取り作業が終了すると前記自動原稿搬送ユニットを開動作させた後に閉動作させるか、または、所定角度まで開動作させるか開動作させることなく閉状態でロックする制御を実行する制御手段と、を備えたことを特徴とする画像読取装置。
【請求項２】
前記取得手段は、操作パネル、操作者が身に付けた無線ＩＣチップに格納されている情報を取得する操作者ＲＦＩＤ（Radio Frequency Identification）受信器、前記原稿に設けられた無線ＩＣチップから送信される情報を受信する原稿ＲＦＩＤ受信器の少なくともいずれか一つであることを特徴とする請求項１に記載の画像読取装置。
【請求項３】
前記取得手段は、前記操作パネルであり、
前記制御手段は、前記セキュリティレベルを、操作者によって前記操作パネルに入力されたログイン情報、画像データを送信する際の宛先情報、モード設定情報のいずれかに基づいて設定することを特徴とする請求項２に記載の画像読取装置。
【請求項４】
前記自動原稿搬送ユニットの閉動作の実行は、前記自動原稿搬送ユニットを開動作させた後に所定時間が経過しても原稿が取り出されない場合になされることを特徴とする請求項１〜３のいずれか一項に記載の画像読取装置。
【請求項５】
前記スキャナユニット近傍に位置する人体を検出する人体検出手段をさらに有し、
前記制御手段は、前記自動原稿搬送ユニットを開動作させた後に、前記人体検出手段によって人体が検出されなくなった場合に、前記自動原稿搬送ユニットの閉動作を実行することを特徴とする請求項１〜３のいずれか一項に記載の画像読取装置。
【請求項６】
前記制御手段は、閉動作された前記自動原稿搬送ユニットをロック状態に制御することを特徴とする請求項４または５に記載の画像読取装置。
【請求項７】
前記制御手段は、前記所定角度まで開動作させるか開動作させることなく閉状態でロックする制御を、前記原稿が両面原稿の場合に実行することを特徴とする請求項１に記載の画像読取装置。
【請求項８】
前記制御手段は、前記読み取り作業によって得られた画像データを、前記原稿が取り出されるまで、前記スキャナユニットからの出力を禁止することを特徴とする請求項１〜８のいずれか一項に記載の画像読取装置。
【請求項９】
請求項１〜８のいずれか一項に記載の画像読取装置を有することを特徴とする画像形成装置。
【発明の詳細な説明】
【技術分野】
【０００１】
本発明は、原稿を自動搬送する自動原稿搬送ユニットと、自動原稿搬送ユニットによって搬送される原稿の画像を読み取るスキャナユニットとを有する画像読取装置、および、画像読取装置が設けられた画像形成装置に関する。
【背景技術】
【０００２】
複写機等の画像形成装置では、複数枚の原稿の画像を読み取る際の操作性、読み取り効率等を向上させるために、原稿の画像を読み取るスキャナ装置上に、画像を読み取るための原稿をスキャナ装置に自動搬送する自動原稿搬送装置（ＡＤＦ）が設けられた画像読取装置が普及している。このような構成の画像読取装置では、操作者による手作業によって、スキャナ装置の上面に設けられたプラテンガラス上に原稿が載置されるように、ＡＤＦがスキャナ装置に対して開閉可能に連結されている。
【０００３】
また、スキャナ装置とＡＤＦとを開閉可能に連結する部分に、ＡＤＦを開閉駆動するモータ等の開閉駆動手段を設けて、この開閉駆動手段によって、ＡＤＦをスキャナ装置に対して自動的に開閉する構成が開発されている。
例えば、特許文献１には、原稿搬送装置（ＡＤＦ）を自動開閉可能な構成が開示されている。特許文献１に開示された画像形成装置では、ＡＤＦの開閉をスイッチの操作によって行うことができ、スキャナ装置のプラテンガラス上に原稿を載置する作業は容易になる。しかし、原稿画像をコピーした記録シートが排出されると、操作者は、排出された記録シートを取り出す作業だけを実行することにより、プラテンガラス上の原稿を取り忘れることがある。特に、複数枚の原稿を順番にプラテンガラス上に載置して、それぞれの原稿の画像をスキャナ装置によって読み取らせる場合には、最後にプラテンガラス上に載置された原稿を取り忘れる確率は高くなる。
【０００４】
特許文献２には、画像形成動作の終了時に、原稿押圧部（ＡＤＦ）を自動的に開く構成が開示されている。このような構成により、操作者は、原稿台上に載置された原稿を取り忘れていること認識することができ、原稿の取り忘れを未然に防止する確率が高くなる。
【先行技術文献】
【特許文献】
【０００５】
【特許文献１】特開平２００６−５０２２５号公報
【特許文献２】特開平７−２７１１１５号公報
【発明の概要】
【発明が解決しようとする課題】
【０００６】
スキャナユニットのプラテンガラス上に載置される原稿には、機密保持を必要とする情報が含まれている場合もあり、そのような重要な原稿をプラテンガラス上から取り忘れると、機密保持に関する情報が、第３者に取得されるおそれがある。特許文献２に記載されているように、画像形成動作の終了時に、原稿押圧部（ＡＤＦ）を自動的に開く構成では、スキャナ部に原稿が残った状態であることを操作者に知らせて、操作者に原稿をスキャナ部から取り除くことを促すことができるものの、操作者が原稿を取り忘れて画像形成装置から立ち去ることを完全に防止することができず、この場合には、スキャナユニットに原稿が載置された状態でＡＤＦが長時間にわたって開放されることになり、多くの人々に原稿がスキャナユニット上に載置されていることが認識され、原稿の情報が第３者によって取得される可能性が高くなる。
【０００７】
本発明は、上記の問題に鑑みてなされたものであり、その目的は、スキャナユニット上に載置される原稿が取り忘れられた場合においても、原稿の情報を保護することができる画像読取装置および画像形成装置を提供することにある。
【課題を解決するための手段】
【０００８】
上記目的を達成するため、本発明の画像読取装置は、スキャナユニット上に、自動原稿搬送ユニットがヒンジ機構によって開閉自在に取り付けられた画像読取装置であって、前記自動原稿搬送ユニットを開閉駆動する開閉駆動手段と、前記スキャナユニットの原稿読取位置に操作者が載置した原稿のセキュリティレベルに関する情報を取得する取得手段と、前記取得手段にて取得された前記セキュリティレベルに関する情報からセキュリティレベルを設定し、当該セキュリティレベルが所定の閾値よりも高い場合に、前記原稿の読み取り作業が終了すると前記自動原稿搬送ユニットを開動作させた後に閉動作させるか、または、所定角度まで開動作させるか開動作させることなく閉状態でロックする制御を実行する制御手段と、を備えたことを特徴とする。
【０００９】
また、本発明の画像形成装置は、前記画像読取装置を有することを特徴とする。
【発明の効果】
【００１０】
本発明では、スキャナユニット上に操作者が載置した原稿のセキュリティレベルが高い場合に、自動原稿搬送ユニットを開閉させる制御が実行されるために、セキュリティレベルが高い原稿がスキャナユニット上において取り忘れられた場合において、自動原稿搬送ユニットが閉状態になるか、所定の角度にまでしか開動作されないか、さらには閉状態でロックされる。従って、その原稿が操作者以外の第３者に直接目視される可能性を低減することができ、セキュリティレベルが高い原稿に含まれる情報が第３者に漏出することを防止することができる。
【００１１】
好ましくは、前記取得手段は、操作パネル、操作者が身に付けた無線ＩＣチップに格納されている情報を取得する操作者ＲＦＩＤ（Radio Frequency Identification）受信器、前記原稿に設けられた無線ＩＣチップから送信される情報を受信する原稿ＲＦＩＤ受信器の少なくともいずれか一つであることを特徴とする。
好ましくは、前記取得手段は、前記操作パネルであり、前記制御手段は、前記セキュリティレベルを、操作者によって前記操作パネルに入力されたログイン情報、画像データを送信する際の宛先情報、モード設定情報のいずれかに基づいて設定することを特徴とする。
【００１２】
好ましくは、前記自動原稿搬送ユニットの閉動作の実行は、前記自動原稿搬送ユニットを開動作させた後に所定時間が経過しても原稿が取り出されない場合になされることを特徴とする。
好ましくは、前記スキャナユニット近傍に位置する人体を検出する人体検出手段をさらに有し、前記制御手段は、前記自動原稿搬送ユニットを開動作させた後に、前記人体検出手段によって人体が検出されなくなった場合に、前記自動原稿搬送ユニットの閉動作を実行することを特徴とする。
【００１３】
好ましくは、前記制御手段は、閉動作された前記自動原稿搬送ユニットをロック状態に制御することを特徴とする。
好ましくは、前記制御手段は、前記所定角度まで開動作させるか開動作させることなく閉状態でロックする制御を、前記原稿が両面原稿の場合に実行することを特徴とする。
好ましくは、前記制御手段は、前記読み取り作業によって得られた画像データを、前記原稿が取り出されるまで、前記スキャナユニットからの出力を禁止することを特徴とする。
【図面の簡単な説明】
【００１４】
【図１】本発明の実施の形態に係る画像読取装置が設けられた画像形成装置の一例であるＭＦＰを示す斜視図である。
【図２】本発明の実施の形態に係る画像読取装置の概略構成を示す正面側から見た模式図である。
【図３】その画像読取装置に設けられたスキャナユニットの平面模式図である。
【図４】画像読取装置におけるＡＤＦユニットとスキャナユニットとを連結するヒンジ機構の構成を説明するための模式図である。
【図５】本実施形態のＭＦＰにおける制御系の主要部を示すブロック図である。
【図６】（ａ）および（ｂ）は、それぞれ、本実施形態の画像読取装置において、セキュリティ制御を実行可能に設定する際に使用されるテーブルの一例である。
【図７】（ａ）〜（ｃ）は、セキュリティ制御を実行可能に設定する際に使用されるテーブルの他の例である。
【図８】セキュリティ制御を実行可能に設定する際に使用されるテーブルのさらに他の例である。
【図９】（ａ）および（ｂ）は、それぞれ、セキュリティ制御を実行可能に設定する際に使用されるテーブルのさらに他の例である。
【図１０】本実施形態のＭＦＰの動作説明のための第１フローチャートである。
【図１１】本実施形態のＭＦＰの動作説明のための第２フローチャートである。
【図１２】本実施形態のＭＦＰの動作説明のための第３フローチャートである。
【図１３】本実施形態のＭＦＰの動作説明のための第４フローチャートである。
【図１４】本実施形態のＭＦＰの動作説明のための概念図である。
【図１５】本実施形態のＭＦＰの動作説明のための概念図である。
【発明を実施するための形態】
【００１５】
＜画像形成装置の構成＞
図１は、本発明の実施の形態に係る画像読取装置が設けられた画像形成装置の一例を示す斜視図である。この画像形成装置は、複写機、スキャナ、プリンタ、ファックスなどの機能を有する複合機（ＭＦＰ：Multiple Function Peripheral）であり、ネットワークを介して、端末装置等とのデータの送受信が可能になっている。図１に示すように、このＭＦＰは、記録用紙等の記録シート上にトナー画像を形成する画像形成装置本体Ａと、画像形成装置本体Ａ上に設けられた本発明の実施形態に係る画像読取装置Ｂとを備えている。画像読取装置Ｂは、原稿画像を読み取るスキャナユニット１０と、スキャナユニット１０上に設けられたＡＤＦ（自動原稿給紙）ユニット２０とを有している。
【００１６】
本実施形態の画像読取装置Ｂを構成するＡＤＦユニット２０は、スキャナユニット１０に対して、ヒンジ機構によって開閉自在に取り付けられており、スキャナユニット１０の上面を覆った閉状態で、画像を読み取るための原稿をスキャナユニット１０に自動的に供給する。スキャナユニット１０は、ＡＤＦユニット２０によって供給される原稿の画像、または、操作者によってスキャナユニット１０におけるプラテンガラス１８（図２参照）に手置きセットされた原稿の画像を光学的に読み取ることによって画像データを生成する。
【００１７】
画像形成装置本体Ａには、プリンタ部６１と、プリンタ部６１の下側に設けられた給紙部６２とが設けられており、給紙部６２内の記録シートがプリンタ部６１に供給される。プリンタ部６１では、スキャナユニット１０にて生成された画像データ、あるいは、ネットワークを介して端末装置等から送られる画像データに基づいて、周知の電子写真方式によって、記録シート上にカラーのトナー画像をプリントする。プリンタ部６１によってトナー画像がプリントされた記録シートは、スキャナユニット１０の下側に設けられた画像形成装置本体Ａの排紙トレイ６３上に排出される。
【００１８】
スキャナユニット１０の正面側の上面部分には、情報の入力操作等のための操作パネル１４が設けられている。操作パネル１４には、各種情報を入力するための操作指示画面、入力された情報の表示画面等を表示する表示部と、各種情報入力のために操作者によって操作されるスイッチ入力部とが設けられている。スイッチ入力部には、ＡＤＦユニット２０を自動開閉させる場合に、操作者によって操作される開閉スイッチ１９が設けられている。開閉スイッチ１９が操作者によって開指示操作されると、ＡＤＦユニット２０は自動的に上方に回動され、開閉スイッチ１９が操作者によって閉指示操作されると、ＡＤＦユニット２０は自動的に下方に回動される。
【００１９】
また、操作パネル１４の表示部には、コピー動作の指示、ネットワークを介して端末装置等にデータの送信指示、電話回線を介してのデータのＦＡＸ指示、プラテンガラス１８（図２参照）に載置される原稿が、両面に画像情報を有する両面原稿であることの指示、コピージョブにおける複写画像の仕上げモードの設定指示のため、あるいは、ログイン情報、画像データを保存する場合の保存先情報（宛先）等の入力のための操作指示画面が表示される。
【００２０】
なお、画像形成装置本体Ａには、画像形成装置本体Ａに接近する操作者等の人体を検出する人体センサ６８が設けられている。人体センサ６８は、例えば、画像形成装置に対して所定範囲に操作者等の人体が接近したことを検出する光電式、赤外線式、静電式等の反射型センサによって構成されている。また、画像形成装置本体Ａには、操作者が身に付けているネームプレート等に取り付けられた無線ＩＣチップと通信を行って無線ＩＣチップに格納されている情報を取得する操作者ＲＦＩＤ（Radio Frequency Identification）受信器６９が設けられている。この操作者ＲＦＩＤ受信器６９は、操作者がＭＦＰに接近することによって、無線ＩＣチップから送信されるユーザＩＤに関する情報、セキュリティ情報等を受信するようになっている。さらに、操作パネル１４には、操作者が所有するＩＤカードの情報を読み取るカードリーダ（図示せず）も設けられている。
【００２１】
＜画像読取装置におけるＡＤＦユニットの構成＞
図２は、本発明の実施の形態に係る画像読取装置Ｂの概略構成を示す正面側から見た模式図である。ＡＤＦユニット２０は、図１および図２に示すように、スキャナユニット１０の上面を全体にわたって覆った閉状態から上方に回動されることによってスキャナユニット１０の上面を開状態とするＡＤＦユニット本体２１と、スキャナユニット１０に搬送される原稿が載置されるようにＡＤＦユニット本体２１に取り付けられた原稿給紙トレイ２２とを有している。
【００２２】
ＡＤＦユニット２０は、ＡＤＦユニット本体２１の正面に向って左側（以下、単に「左側」とし、反対側を「右側」とする）の側部には、原稿給紙トレイ２２上に載置された原稿が搬送される搬送経路を内部に有する給紙本体部２１ａが設けられており、給紙本体部２１ａの下部には、内部に反転経路２１ｐが形成された反転経路形成部２１ｂが、給紙本体部２１ａから右側方に水平状態で延出するように設けられている。
【００２３】
ＡＤＦユニット本体２１の給紙本体部２１ａおよび反転経路形成部２１ｂは、スキャナユニット１０の上面をほぼ全域にわたって覆うように一体に構成されている。原稿給紙トレイ２２は、反転経路形成部２１ｂの上方において、左側の側部が下側になるように傾斜した状態で、給紙本体部２１ａの上部に取り付けられている。ＡＤＦユニット２０は、スキャナユニット１０に原稿の片面だけを読み取らせる片面読取モードと、原稿を反転させて原稿の両面（表面と裏面）をスキャナユニット１０に順番に読み取らせる両面読取モードとを選択的に実行する構成になっており、片面読取モードの場合には、原稿が、原稿給紙トレイ２２上に、スキャナユニット１０にて読み取られる原稿面を上方に向けた状態で載置される。原稿給紙トレイ２２には、原稿給紙トレイ２２上に載置される原稿を検出するためのＡＤＦ側原稿センサ２３が設けられている。
【００２４】
原稿給紙トレイ２２上の原稿は、給紙本体部２１ａ内に設けられたピックアップローラ２１ｃによって、第１搬送経路２１ｄに供給され、一対の第１レジストローラ２１ｊによって、第２搬送経路２１ｅを介して、一対の第１読取ローラ２１ｆへと搬送される。第１読取ローラ２１ｆを通過した原稿は、スキャナユニット１０の上面に設けられたスリットガラス（プラテンガラス）１６との対向部分を通過し、その間に、スリットガラス１６に対向する原稿面の画像がスキャナユニット１０によって読み取られる。画像が読み取られた原稿は、一対の第２読取ローラ２１ｇを介して、第１分岐ガイド２１ｈへと搬送される。第１分岐ガイド２１ｈは、片面モードの場合には、原稿を、一対の第２レジストローラ２１ｋを介して、第２分岐ガイド２１ｍへと搬送し、第２分岐ガイド２１ｍによって、一対の排紙ローラ２１ｑを介して、反転経路形成部２１ｂ上に設けられた原稿排出部上に排出する。
【００２５】
第１分岐ガイド２１ｈは、両面モードの場合には、原稿を、一対の第２レジストローラ２１ｋを介して、第２分岐ガイド２１ｍへと搬送し、第２分岐ガイド２１ｍによって、原稿給紙トレイ２２の下面に沿って配置された反転ガイド上に搬送する。第２レジストローラ２１ｋは、原稿の後端部が通過する直前に逆転駆動され、これにより、原稿はスイッチバックして、第３搬送経路２１ｎを通って、第１レジストローラ２１ｊへと搬送される。
【００２６】
その後、原稿は、表裏を反転した状態で、第２搬送経路２１ｅを通過し、第１読取ローラ２１ｆによってスリットガラス１６の上方を搬送される。そして、スリットガラス１６の上方を原稿が通過する間に、スリットガラス１６に対向する原稿面（第２面）の画像がスキャナユニット１０によって読み取られる。次いで、原稿は、第１分岐ガイド２１ｈによって、第４搬送経路２１ｓを通って、反転ローラ２１ｚへ搬送され、一旦、反転経路形成部２１ｂ内の反転経路２１ｐへと搬送された後に、第２分岐ガイド２１ｍに案内されて排紙ローラ２１ｑへと搬送され、排紙ローラ２１ｑによって、反転経路形成部２１ｂ上の原稿排出部に排出される。
【００２７】
＜画像読取装置におけるスキャナユニットの構成＞
図２に示すように、スキャナユニット１０は、扁平な長方体形状に形成されたハウジング１１を備えており、このハウジング１１の上面に、ＡＤＦユニット２０の第１読取ローラ２１ｆと第２読取ローラ２１ｇとの間に対向するようにスリットガラス１６が前後方向に沿って配置されている。また、ハウジング１１の上面には、スリットガラス１６の左側の側方に配置された長方形状のプラテンガラス１８が設けられている。プラテンガラス１８は、スリットガラス１６の前後方向（主走査方向）長さと同程度の前後方向長さを有するとともに、スリットガラス１６に近接した位置からハウジング１１の右側の端部近傍にわたる左右方向（副走査方向）長さを有している。
【００２８】
ハウジング１１の内部には、図２に矢印Ｘで示す副走査方向にスライド可能に構成された第１スライダー１２が設けられており、この第１スライダー１２に、線状光源１２ａが主走査方向に沿った状態で搭載されている。第１スライダー１２は、通常は、スリットガラス１６とプラテンガラス１８との間のホームポジションに位置されており、ＡＤＦユニット２０によって原稿が搬送される場合には、スキャナモータ４３によって、スリットガラス１６の下方のシートスルーポジションに移動されて停止される。これに対して、プラテンガラス１８上の原稿Ｄを読み取る場合には、第１スライダー１２は、スキャナモータ４３によって、プラテンガラス１８に沿って副走査方向に往復移動されるようになっている。
【００２９】
第１スライダー１２には、スリットガラス１６上を通過する原稿Ｄまたはプラテンガラス１８上に載置された原稿Ｄからの反射光を、矢印Ｘで示す方向とは反対方向に略直角に反射する第１ミラー１２ｂが設けられている。第１スライダー１２よりも左側の側方には、第１ミラー１２ｂにて反射された光を、矢印Ｘ方向に反転させるように対になった第２ミラー１３ａおよび第３ミラー１３ｂが搭載された第２スライダー１３が設けられている。
【００３０】
第２スライダー１３は、プラテンガラス１８上に載置された原稿Ｄの画像を読み取る場合には、スキャナモータ４３によって、第１スライダー１２の移動に同期して、第１スライダー１２の速度の１／２の速度で第１スライダー１２と同方向に移動される。第２ミラー１３ａおよび第３ミラー１３ｂによって矢印Ｘ方向に反転された光は、縮小レンズ（図示せず）を介して画像読取手段としてのＣＣＤ１７に照射される。
【００３１】
図３は、スキャナユニット１０におけるハウジング１１の平面模式図である。ハウジング１１の上面における左側の側部に配置されたスリットガラス１６は、前後方向に沿って延びる帯状に構成されており、スリットガラス１６の右側には、スリットガラス１６に対して適当な間隔をあけてプラテンガラス１８が配置されている。スリットガラス１６とプラテンガラス１８との間が、第１スライダー１２のホームポジションになっている。
【００３２】
ハウジング１１の内部には、操作者によってプラテンガラス１８上に載置される原稿Ｄのサイズを検出するための第１原稿センサ１５ａおよび第２原稿センサ１５ｂが設けられている。第１原稿センサ１５ａおよび第２原稿センサ１５ｂは、それぞれ、プラテンガラス１８における左側の側縁部に沿って位置決めされた所定サイズの原稿Ｄにおける背面側の側縁を検出するように配置された反射型のセンサである。
【００３３】
スキャナユニット１０には、載置された原稿Ｄに無線ＩＣチップが設けられている場合に、当該無線ＩＣチップから送信される情報を受信するＲＦＩＤ受信器１５ｃが設けられている。無線ＩＣチップには、当該原稿の取り扱いが可能である操作者に関する情報であるユーザＩＤ情報、原稿のセキュリティレベル等の情報等の原稿ＩＤ情報が含まれており、それらの情報がＲＦＩＤ受信器１５ｃに受信される。
【００３４】
＜画像読取装置におけるヒンジ機構の構成＞
画像読取装置ＢにおけるＡＤＦユニット２０は、正面側部分がスキャナユニット１０に対して上方に回動されるように、その背面側部分が、スキャナユニット１０の背面側部分に対してヒンジ機構によって連結されている。図４は、そのヒンジ機構３０の構成を説明するための模式図である。このヒンジ機構３０は、スキャナユニット１０の背面側の側部に取り付けられた固定側ヒンジ体３１と、ＡＤＦユニット２０の背面側の側部に取り付けられた回動側ヒンジ体３２と、固定側ヒンジ体３１および回動側ヒンジ体３２の背面側の端部同士を回動可能に支持するヒンジ支点軸３３とを有している。
【００３５】
ヒンジ支点軸３３には、ＡＤＦユニット２０を開閉するための開閉駆動モータ３４の回転力が、複数のギア３６〜３８を介して伝達されている。開閉駆動モータ３４としては、例えばパルスモータが使用される。開閉駆動モータ３４は、スキャナユニット１０に設けられた操作パネル１４の開閉スイッチ１９が、操作者によって開指示操作または閉指示操作されることによって、正転および逆転駆動されるようになっている。また、本実施形態では、開閉駆動モータ３４は、ＡＤＦユニット２０を下方に回動させてスキャナユニット１０の上面を覆った閉状態になると、その状態で回転駆動できないようにロックされるように構成されている。これにより、ＡＤＦユニット２０は、スキャナユニット１０の上面を覆った閉状態で回動されないロック状態になる。
【００３６】
ＡＤＦユニット２０に取り付けられた回動側ヒンジ体３２は、開閉駆動モータ３４が正転駆動されることによって、ヒンジ支点軸３３を中心として、正面側の先端部が上方に向って回動される。これにより、ＡＤＦユニット２０は、正面側の側縁部が上方に回動し、スキャナユニット１０におけるハウジング１１の上面が開放される。開閉駆動モータ３４が逆転駆動されると、ＡＤＦユニット２０の正面側の端部は下方に回動される。ＡＤＦユニット２０は、スキャナユニット１０におけるハウジング１１の上面に当接することによって回動が停止され、ハウジング１１の上面に設けられたプラテンガラス１８を覆った閉状態になる。
【００３７】
ヒンジ支点軸３３には、ＡＤＦユニット２０の回動角度を検出する回動角検出器３7が設けられている。回動角検出器３９は、例えば、ＡＤＦユニット２０を回動させるヒンジ支点軸３３の回動角度に応じた電圧を出力するロータリーボリュームによって構成されている。開閉駆動モータ３４は、ＡＤＦユニット２０が、回動角検出器３９によって検出される所定角度になるように駆動される。
【００３８】
＜ＭＦＰにおける制御系の構成＞
図５は、本実施形態のＭＦＰにおける制御系の主要部を示すブロック図である。画像形成装置本体Ａには、画像形成動作等を制御するシステムＣＰＵ６５と、操作パネル１４における表示部の制御、各種データの送受信制御等を実行するパネルＣＰＵ６６が設けられている。システムＣＰＵ６５とパネルＣＰＵ６６とは、データバスを介して、相互にデータの送受を行うとともに相互に動作指示を行うようになっている。また、画像読取装置Ｂのスキャナユニット１０には、スキャナモータ４３等を制御するスキャナＣＰＵ４１が設けられており、ＡＤＦユニット２０には、原稿の搬送等を制御するＡＤＦ−ＣＰＵ５１が設けられている。システムＣＰＵ６５と、スキャナＣＰＵ４１およびＡＤＦ−ＣＰＵ５１とは、データバスを介して、相互にデータの送受を行うようになっている。
【００３９】
システムＣＰＵ６５には、画像形成装置本体Ａに接近する操作者等の人体を検出する人体センサ６８の出力、操作者のネームプレート等に付加された無線ＩＣチップから送信されるユーザＩＤに関する情報、セキュリティ情報等を受信するＲＦＩＤ受信器６９の出力がそれぞれ与えられている。
パネルＣＰＵ６６は、操作者が操作パネル１４を操作することによって入力された各種情報、指示等を、データバスを介して、システムＣＰＵ６５に与えるように構成されている。パネルＣＰＵ６６は、例えば、操作者が操作パネル１４の操作によって入力したログインＩＤ、セキュリティレベルの設定、モード設定、画像データをＦＡＸによって送信する場合の送信先ＦＡＸ番号、画像データをメールによって送信する場合の送信先メールアドレス、画像データをＢＯＸに保存する場合の保存先ＢＯＸのＵＲＬ等のデータをシステムＣＰＵ６５に与える。
【００４０】
スキャナＣＰＵ４１は、画像読取時にモータ駆動ＩＣ４２を制御して、第１スライダー１２および第２スライダー１３を所定方向に所定の速度で移動させるようにスキャナモータ４３の駆動を制御する。また、スキャナＣＰＵ４１は、ＣＣＤ１７にて読み取られた画像データを処理する画像処理部４４を制御する。画像処理部４４は、ＣＣＤ１７にて得られた原稿の画像データを、シェーディング補正、シャープネス調整、ＨＶＣ調整、濃度補正等を行う。さらに、スキャナＣＰＵ４１には、プラテンガラス１８上に載置される原稿Ｄのサイズを検出するための第１原稿センサ１５ａおよび第２原稿センサ１５ｂの出力が、それぞれ入力されている。
【００４１】
さらに、スキャナＣＰＵ４１には、スキャナユニット１０に設けられた原稿ＲＦＩＤ受信器１５ｃの出力が与えられている。原稿ＲＦＩＤ受信器１５ｃは、プラテンガラス１８上に載置される原稿に無線ＩＣチップが設けられている場合に、当該無線ＩＣチップから送信される当該原稿のユーザＩＤに関する情報、セキュリティ情報等を受信すると、受信した情報をスキャナＣＰＵ４１に与える。
【００４２】
ＡＤＦ−ＣＰＵ５１は、ＡＤＦユニット２０を開閉駆動する開閉駆動モータ３４を駆動するモータ駆動ＩＣ５６を制御して、開閉駆動モータ３４を正転駆動および逆転駆動するようになっている。また、ＡＤＦ−ＣＰＵ５１には、ＡＤＦユニット２０における原稿給紙トレイ２２に設けられたＡＤＦ側原稿センサ２３の出力、ＡＤＦユニット２０の回動角度を検出する回動角検出器３７の出力が与えられている。さらに、ＡＤＦ−ＣＰＵ５１には、操作パネル１４に設けられた開閉スイッチ１９における出力も、直接、入力されており、開閉スイッチ１９の開指示操作によって出力される開信号および閉指示操作によって出力される閉信号のそれぞれがＡＤＦ−ＣＰＵ５１に入力されている。
【００４３】
＜セキュリティ制御の実行を設定する際のセキュリティレベル係数＞
システムＣＰＵ６５は、スキャナユニット１０にセットされた原稿の画像を読み取る場合に、原稿の情報を保護するためＡＤＦユニット２０の開閉制御（以下、セキュリティ制御という）の実行を、管理者が設定できるようになっている。管理者は、システムＣＰＵ６５が上記セキュリティ制御を実行できるように設定する場合には、ＩＤ情報、原稿の情報、画像データの送信先等の情報、仕上げモード等の情報（以下、セキュリティ制御の「要否判定情報」とする）に対して設定されるセキュリティレベル係数を所定の閾値と比較することにより、原稿を保護するためのＡＤＦユニット２０の開閉動作の制御の実行を設定するかを判断する。原稿は、セキュリティレベル係数が高くなるほど保護が必要であり、セキュリティレベル係数が、所定の閾値よりも高くなっている場合には、ＡＤＦユニット２０の開閉動作の制御が実行されるように設定される。
【００４４】
要否判定情報に対するセキュリティレベル係数は、図６〜図９のテーブルに基づいて設定される。例えば、操作パネル１４の操作によって入力されるログイン情報、操作者ＲＦＩＤ受信器６９によって受信されたＩＤ情報、操作パネル１４に設けられたカードリーダによって読み込まれたＩＤ情報のいずれかに操作者の「役職」が含まれている場合には、その「役職」が要否判定情報として使用され、この場合には、図６（ａ）のテーブルに示すように、役職の地位の高くなるほど、高いセキュリティレベル係数が設定される。また、ログイン情報、ＩＤ情報等に、予め設定されたセキュリティレベルが含まれる場合には、そのセキュリティレベルが要否判定情報として使用され、この場合には、図６（ｂ）のテーブルに示すように、設定されたセキュリティレベルの順（「最高」、「高」、「中」、「低」、「無設定」）に対応するセキュリティレベル係数がそれぞれ設定される。
【００４５】
また、スキャンユニット１０にて得られた画像データを送信する場合に、操作者が操作パネル１４を操作することによって送信先ＦＡＸ番号、送信先メールアドレス等の宛先が入力される場合には、その宛先が要否判定情報として使用される。この場合は、例えば、図７（ａ）に示すテーブルのように、宛先が、「社内（重要）」、「社内（一般）」、「社外（重要）」、「社外（一般）」、「取引先（重要）」、「取引先（一般）」、「ユーザ・顧客」の５つのグループに分類されて、その順番に対応して高い値から低い値になるように、セキュリティレベル係数が設定される。
【００４６】
また、送信先ＦＡＸ番号、送信先メールアドレス等によって入力される宛先に対して予めセキュリティレベルが設定されている場合には、図７（ｂ）のテーブルに示すように、設定されたセキュリティレベルの順（「最高」、「高」、「中」、「低」、「無設定」）に対応して、セキュリティレベル係数が設定される。
さらに、スキャンユニット１０にて得られた画像データをＢＯＸ、ＨＤＤ等に保存する場合に、操作者の操作パネル１４の操作によって保存先ＢＯＸのＵＲＬ等の保存先が入力されると、その保存先が要否判定情報として使用される。この場合には、図７（ｃ）に示すテーブルのように、保存先に対して設定されたセキュリティレベルに対応したセキュリティレベル係数が設定される。
【００４７】
また、スキャンユニット１０にて得られたコピー画像の仕上げモードが操作者の操作パネル１４の操作によって入力される場合には、その仕上げモードの情報が要否判定情報として使用される。この場合には、図８に示すように、仕上げプレビューの有無に基づいてセキュリティレベル係数が設定される。具体的には、仕上げプレビュー無しが設定される場合には、高いセキュリティレベル係数が設定され、仕上げプレビュー有りが設定される場合には、低いセキュリティレベル係数が設定される。これは、「プレビュー無し」の場合には、「プレビュー」を行って他人に見られることを回避しているもの判断するものであり、これにより、高いセキュリティレベル係数が設定される。
【００４８】
さらに、スキャナユニット１０上にセットされる原稿の情報が、その原稿の無線ＩＣチップに格納されており、原稿ＲＦＩＤ受信器１５ｃによって取得される場合には、その原稿の情報が要否判定情報として使用される。この場合にも、図９（ａ）に示すテーブルに基づいてセキュリティレベル係数が設定される。原稿の要否判定情報としては、原稿の取り扱い者の役職、あるいは、原稿自体のセキュリティレベル等の情報である。図９に示すテーブルでは、原稿の取り扱い者として、地位の高い順に、「役員」、「管理職」、「リーダー」、「有資格者」、「一般職」の５段階の役職が設定されおり、その順番で、高いセキュリティレベル係数から低いセキュリティレベル係数になるように設定される。
【００４９】
セキュリティ制御を実行可能に設定する場合には、システムＣＰＵ６５に入力される上記それぞれの要否判定情報から各情報に対応する上記テーブルを参照して、それぞれについてセキュリティレベル係数を求め、求めたセキュリティレベル係数を閾値と比較し、いずれかの要否判定情報が閾値よりも高くなっている場合には、セキュリティ制御を実行可能に設定する必要があるものと判断する。この場合、各要否判定情報のセキュリティレベル係数と比較される閾値は、予め設定された所定の１つの閾値であってもよく、また、それぞれの要否判定情報毎に個別に設定された閾値であってもよい。
【００５０】
＜セキュリティ制御実行の設定＞
図１０は、セキュリティ制御が実行されるように設定する場合のフローチャートである。この場合には、システムＣＰＵ６５は、例えば、操作パネル１４における表示部にセキュリティ制御の実行可能の設定に関する操作入力画面を表示し、管理者が操作入力画面の操作によって入力する情報に基づいて、セキュリティ制御の実行を可能に設定する。このために、まず、システムＣＰＵ６５は、セキュリティ制御の実行を可能に設定する必要があるかを、管理者の操作画面の操作に基づいて判断する（図のステップＳ１）。この場合、管理者がセキュリティ制御の実行を設定するが必要でないと判断した場合（ステップＳ１において「ＮＯ」）には、セキュリティ制御が実行されない設定とする（ステップＳ２）。
【００５１】
管理者が、セキュリティ制御を実行できるように設定する必要があると判断した場合（ステップＳ１において「ＹＥＳ」）には、セキュリティ制御を実行する際にＡＤＦユニット２０を閉状態にロックする制御の設定が必要であるかを、管理者の操作入力画面の操作に基づいて判断する（ステップＳ３）。管理者が、ＡＤＦユニット２０のロック制御の設定が必要であると判断した場合（ステップＳ３において「ＹＥＳ」）には、ＡＤＦユニット２０をロックする制御を「有効」に設定し（ステップＳ４）、ステップＳ５に進む。
【００５２】
管理者が、ＡＤＦユニット２０のロック制御の設定が必要でないと判断した場合（ステップＳ４において「ＮＯ」）には、ＡＤＦユニット２０をロックする制御を「有効」に設定することなく、ステップＳ５に進む。ステップＳ５においては、要否判定情報毎に設定されたセキュリティレベル係数が比較される閾値を、各要否判定情報のそれぞれにおいて個別に設定する必要があるかを、管理者の操作画面の操作に基づいて判断する（ステップＳ５）。
【００５３】
この場合、管理者が、個々の要否判定情報毎の閾値の個別設定が必要でないと判断した場合（ステップＳ５において「ＮＯ」）には、全ての要否判定情報に対して予め設定された一つの所定閾値を設定する（ステップＳ６）。これにより、その後のセキュリティ制御の実行の要否を判断する場合には、各要否判定情報のセキュリティレベル係数と、設定された１つの共通の閾値とをそれぞれ比較し、いずれか一つのセキュリティレベル係数が閾値よりも高くなっている場合には、セキュリティ制御の実行が必要であると判定されることになる。このように、共通の閾値を設定することにより、複数の閾値を設定する場合よりも、記憶容量をセーブすることができる。
【００５４】
これに対して、管理者が、個々の要否判定情報のセキュリティレベル係数に対して閾値の個別設定が必要であると判断した場合（ステップＳ５において「ＹＥＳ」）には、個々の要否判定情報毎に閾値がそれぞれ設定される（ステップＳ７）。この場合には、ユーザＩＤにおける役職レベル、登録セキュリティレベル、画像データの宛先および保存先、プレビュー設定、画像データに含まれる情報、原稿情報のそれぞれの情報毎に閾値が設定されることになる。このように、要否判定情報のそれぞれに対して閾値が設定されると、個々の要否判定情報のセキュリティレベル係数と閾値とを比較して、いずれかの項目のセキュリティレベル係数が閾値よりも高くなっている場合には、セキュリティ制御の実行が必要であると判定されることになる。
【００５５】
＜セキュリティ制御の実行の要否判定＞
図１１は、システムＣＰＵ６５におけるセキュリティ制御の実行の要否の判定する処理を示すフローチャートである。システムＣＰＵ６５は、例えば、人体センサ６８がオン状態になり（図のステップＳ１１において「ＹＥＳ」）、操作者が開閉スイッチ１９を操作することによって開指示がなされた場合（ステップＳ１２において「ＹＥＳ」）に、セキュリティ制御の実行の要否を判定する（ステップＳ１３）。この場合、セキュリティ制御が実行可能に設定されていないと（ステップＳ１３において「ＮＯ」）、開閉スイッチ１９の操作によって開閉駆動モータ３４を制御する一般制御が実行されることになり（ステップＳ１７）、セキュリティ制御は実行されない。
【００５６】
操作者は、スキャナユニット１０のプラテンガラス１８上に原稿をセットし、操作パネル１４を操作することによって、コピージョブ、データ送信ジョブ、保存ジョブの設定、原稿枚数および連続読み取りの要否の設定、仕上げモードの設定、送信先の宛先等、各種情報を入力することになる。また、操作者ＲＦＩＤ受信器６９および原稿ＲＦＩＤ受信器１５ｃによってＲＦＩＤ信号が受信されている場合には、システムＣＰＵ６５は、操作者ＩＤ情報および原稿ＩＤ情報を取得することになり、取得された情報により、セキュリティ係数が設定されることになる。
【００５７】
ステップＳ１３において、セキュリティ制御が実行可能状態に設定されていると（ステップＳ１３において「ＹＥＳ」）、操作パネル１４に入力された情報、操作者ＩＤ情報、原稿ＩＤ情報等から、前述した個々の要否判定情報を抽出して、それぞれの要否判定情報毎に、セキュリティレベル係数をそれぞれ設定し（ステップＳ１４）、設定された個々のセキュリティレベル係数を、予め設定された閾値と比較する（ステップＳ１５）。
【００５８】
この場合の閾値は、前述したように、個々の要否判定情報毎にそれぞれ閾値が設定されているか、個々の要否判定情報に対して共通の一つの閾値が設定されている。そして、いずれか１つの要否判定情報のセキュリティレベル係数が閾値よりも高くなっている場合には（ステップＳ１５において「ＹＥＳ」）、セキュリティ制御が必要と判定して、セキュリティ制御を実行する（ステップＳ１６）。
【００５９】
これに対して、全ての要否判定情報のセキュリティレベル係数が閾値よりも高くなっていない場合には（ステップＳ１５において「ＮＯ」）、セキュリティ制御は実行されることなく、一般制御が実行される（ステップＳ１７）。なお、この場合の一般制御は、操作者の開閉スイッチ１９の操作による開閉駆動モータ３４の制御と同様であるために、その詳細については省略する。
【００６０】
＜セキュリティ制御＞
システムＣＰＵ６５におけるセキュリティ制御について、図１２のフローチャートに基づいて説明する。この場合、図１１のステップＳ１１およびＳ１２に示すように、人体センサ６８がオンするとともに、開閉スイッチ１９から開指示が与えられており、このような状態で、システムＣＰＵ６５は、開閉スイッチ１９から開指示に基づいて、開閉駆動モータ３４に正転駆動指示を与えて、開閉駆動モータ３４を正転駆動させる（図１２のステップＳ２１）。
【００６１】
これにより、ＡＤＦユニット２０は開動作し、スキャナユニット１０のプラテンガラス１８が開放状態になる。このような状態になると、通常、操作者は、スキャナユニット１０のプラテンガラス１８上に原稿をセットする。システムＣＰＵ６５は、第１原稿センサ１５ａおよび第２原稿センサ１５ｂの出力に基づいて、プラテンガラス１８上において原稿がセットされたかを判断する（ステップＳ２２）。
【００６２】
ステップＳ２２において、プラテンガラス１８上に原稿がセットされた状態になると（ステップＳ２２において「ＹＥＳ」）、操作者が開閉スイッチ１９を操作することにより開閉スイッチ１９から閉指示が与えられるかを判断する（ステップＳ２３）。この場合、閉指示が与えられない場合（ステップＳ２３において「ＮＯ」）には、図１３のフローチャートのステップＳ５１に進み、原稿のセキュリティ保護のための制御が実行されることになる。この制御については、後述する。
【００６３】
ステップＳ２３において、操作者が開閉スイッチ１９を操作することによって開閉スイッチ１９から閉指示が与えられると（ステップＳ２３において「ＹＥＳ」）、システムＣＰＵ６５は、開閉駆動モータ３４に逆転駆動指示を与えて、開閉駆動モータ３４を逆転駆動させる（ステップＳ２４）。これにより、ＡＤＦユニット２０は閉動作し、スキャナユニット１０のプラテンガラス１８上に載置された原稿がＡＤＦユニット２０にて覆われた状態になる。
【００６４】
このような状態になると、システムＣＰＵ６５は、操作パネル１４からの情報に基づいて、プラテンガラス１８上にセットされた原稿をコピーするコピージョブの実行が指示されているかを判断する（ステップＳ２５）。そして、コピージョブの実行が指示されている場合（ステップＳ２５において「ＹＥＳ」）には、スキャナＣＰＵ（図示せず）に、スキャナユニット１０によるプラテンガラス１８上の原稿の画像を読み取る動作を指示して（ステップＳ２６）、スキャナユニット１０において画像読み取り動作を実行させる。
【００６５】
スキャナユニット１０によるプラテンガラス１８上の原稿の画像の読み取りが終了すると、システムＣＰＵ６５は、操作パネル１４からの情報に基づいて、複数枚の原稿の画像を連続して読み込む必要があるかを判断する（ステップＳ２７）。複数枚の原稿の画像を連続して読み込む必要がない場合には（ステップＳ２７において「ＮＯ」）、画像形成装置本体ＡのエンジンＣＰＵ（図示せず）に対して画像データを出力するとともに、プリント指示を与えて（ステップＳ２８）、プリント動作を実行させる。その後、図１３のステップＳ４１に進む。
【００６６】
複数枚の原稿の画像を連続して読み込む場合（ステップＳ２７において「ＹＥＳ」）には、画像形成装置本体ＡのエンジンＣＰＵ（図示せず）に、画像データを出力することなく、また、プリント指示を与えることなく、全ての原稿の読取が終了していないことを確認して（ステップＳ２９において「ＮＯ」）、図１３のステップＳ４１に進む。なお、ステップＳ２９において、複数枚の原稿の全ての読み取りが終了している場合（ステップＳ２９において「ＹＥＳ」）には、エンジンＣＰＵに対して、全ての原稿の画像データを出力するとともにプリント指示を与えて（ステップＳ２８）、プリント動作を実行させることになる。
【００６７】
ステップＳ２５において、コピージョブの指示が与えられていない場合（ステップＳ２５において「ＮＯ」）には、操作パネル１４からの情報に基づいて、送信ジョブまたは保存ジョブの実行指示が与えられているかを判断する（ステップＳ３１）。送信ジョブまたは保存ジョブの実行指示が与えられていない場合（ステップＳ３１において「ＮＯ」）には、それぞれのジョブを実行することなく、図１３のステップＳ４１に進む。
【００６８】
送信ジョブまたは保存ジョブの実行指示が与えられている場合には（ステップＳ３１において「ＹＥＳ」）、スキャナＣＰＵに対して、スキャナユニット１０によるプラテンガラス１８上の原稿の画像を読み取る動作を指示して、スキャナユニット１０において画像読み取り動作を実行させる（ステップＳ３２）。スキャナユニット１０において画像の読み取り動作が終了すると、読み取られた画像データを、入力された宛先へ出力することになる（ステップＳ３４）。その後、図１３のステップＳ４１に進む。
【００６９】
図１３のフローチャートにおけるステップＳ４１では、人体センサ６８からの信号に基づいて、操作者がＭＦＰの操作位置から立ち去ったかを判断し、人体センサ６８によって操作者がＭＦＰから立ち去ったことが検出されると（ステップＳ４１において「ＹＥＳ」）、プラテンガラス１８上に原稿が残った状態になっていることから、ステップ５４に進む。
【００７０】
これに対して、ステップＳ４１において、人体センサ６８によって操作者がＭＦＰの操作位置から立ち去ったことが検出されない場合（ステップＳ４１において「ＮＯ」）には、プラテンガラス１８上に載置された原稿が両面に画像が形成された両面原稿であることが操作者による操作パネル１４の操作によって予め設定されているかを判断する（ステップＳ４５）。両面原稿に設定されている場合（ステップＳ４５において「ＹＥＳ」）には、開閉駆動モータ３４をロック状態とすることが設定されているかを判断し（ステップＳ４６）、開閉駆動モータ３４をロック状態とすることが設定されていない場合（ステップＳ４６において「ＮＯ」）には、第１原稿センサ１５ａおよび第２原稿センサ１５ｂの出力に基づいて、プラテンガラス１８上に載置された原稿のサイズを検出して、検出された原稿のサイズに基づいて所定の角度だけ、ＡＤＦユニット２０が上方に回動されるように、開閉駆動モータ３４を正転駆動する（ステップＳ４７）。
【００７１】
この場合、例えば、図１４に示すように、プラテンガラス１８上に載置された原稿のサイズがＡ４サイズ以下の場合には、ＭＦＰの周囲の人から原稿が目視されないように、３０°程度だけＡＤＦユニット２０を開動作させ、Ａ４サイズ以上の比較的大きな原稿の場合には、ＡＤＦユニット２０の開角度を、１５°程度の小さな角度として、ＭＦＰの周囲の人から目視されることを防止する。
【００７２】
このように、原稿サイズが大きい場合には、回動角度が大きくなると、周囲の人に原稿が目視される確率が高くなるために、ＡＤＦユニット２０の開角度を比較的小さくしている。反対に、原稿サイズが小さい場合には、ＡＤＦユニット２０の回動角度が比較的大きくなっても、周囲の人に原稿が目視される確率が低くなることから、回動角度を比較的大きくしている。
【００７３】
なお、両面原稿であることについては、ＡＤＦユニット２０におけるスキャナユニット１０におけるプラテンガラス１８に対向する底面にＣＣＤカメラを設けて、ＡＤＦユニット２０が開放される瞬間に、プラテンガラス１８上に載置された原稿の裏面の画像を撮像することによって判定してもよい。
これに対して、ステップＳ４６において、開閉駆動モータ３４をロック状態とすることが設定されている場合（ステップＳ４６において「ＹＥＳ」）には、開閉駆動モータ３４をロック状態として、閉状態になっているＡＤＦユニット２０をロック状態とする（ステップＳ４８）。開閉駆動モータ３４は、例えば、開閉駆動モータ３４がステッピングモータの場合には、通電を停止することによってモータ軸が回転しないロック状態とすることができる。また、直流モータの場合には、モータ軸をブレーキ手段によって回転禁止状態とすることによりロック状態とすることができる。このようなロック状態になると、ＡＤＦユニット２０は、手作業によって上方に回動することができなくなる。
【００７４】
このようなロック状態では、操作者が、例えば、操作パネル１４の操作によってパスワードを入力する等の予め設定された所定動作を実行しなければ解除されないようになっており、所定動作によってロック状態が解除されることにより（ステップＳ７１において「ＹＥＳ」）、ＡＤＦユニット２０のロックが解除されることになる（ステップＳ７２において「ＹＥＳ」）。ステップＳ７２においてロックが解除された後に、操作者が開閉スイッチ１９の操作によって開指示すると（ステップＳ４９において「ＹＥＳ」）、ＡＤＦユニット２０が最大の開状態になるように、開閉駆動モータ３４が正転駆動される（ステップＳ５０）。
【００７５】
ステップＳ４５において、原稿が両面原稿でない場合には（ステップＳ４５）、ＡＤＦユニット２０が最大の開状態になるように、開閉駆動モータ３４を正転駆動する（ステップＳ５０）。これにより、ＡＤＦユニット２０が最大の開状態になり、ＭＦＰの周囲の操作位置に残っている操作者は、プラテンガラス１８上に載置された原稿を目視することができ、原稿を容易に取り除くことができる状態になり、ステップＳ５１に進む。
【００７６】
ステップＳ５１では、システムＣＰＵ６５は、第１原稿センサ１５ａおよび第２原稿センサ１５ｂの出力に基づいて、プラテンガラス１８上に載置された原稿が取り除かれたかを判断する。プラテンガラス１８上に載置された原稿が取り除かれたと判断される場合（ステップＳ５１において「ＹＥＳ」）には、図１２のフローチャートにおけるステップＳ２２に戻り、プラテンガラス１８上に原稿がセットされることによって（ステップＳ２２において「ＹＥＳ」）、ステップＳ２３〜Ｓ２８の処理が実行され、コピージョブの場合（ステップＳ２５において「ＹＥＳ」）には、ステップＳ２９において、全ての原稿の画像読み取りが終了したものと判断されることにより（ステップＳ２９において「ＹＥＳ」）、得られた全ての画像データのプリント処理が実行されることになる（ステップＳ２８）。
【００７７】
ステップＳ５１において、プラテンガラス１８上に載置された原稿が取り除かれていない場合（ステップＳ５１において「ＮＯ」）には、人体センサ６８からの信号に基づいて、操作者がＭＦＰから立ち去ったかを判断し（ステップＳ５２）、人体センサ６８によって操作者がＭＦＰから立ち去ったことが検出されず（ステップＳ５２において「ＮＯ」）、所定時間にわたって、操作者の立ち去りが検出されない場合（ステップＳ５７において「ＹＥＳ」）には、警報が発せられることになる（ステップＳ５８）。
【００７８】
ステップＳ５２において、人体センサ６８によって操作者がＭＦＰから立ち去ったことが検出されると（ステップＳ５２において「ＹＥＳ」）、開閉駆動モータ３４に対して逆転駆動を指示し（ステップＳ５３）、開閉駆動モータ３４を逆転駆動させる。これにより、ＡＤＦユニット２０は閉動作し、スキャナユニット１０のプラテンガラス１８上に載置された原稿がＡＤＦユニット２０にて覆われた状態になる。
【００７９】
このような状態になると、システムＣＰＵ６５は、ＡＤＦユニット２０をロックする設定になっているかを判断し（ステップＳ５４）、ＡＤＦユニット２０をロックする設定になっていない場合には（ステップＳ５４において「ＮＯ」）、ＡＤＦユニット２０をロックすることなく、ステップＳ６１に進み、ＡＤＦユニット２０をロックする設定になっている場合には（ステップＳ５４において「ＹＥＳ」）、開閉駆動モータ３４をロック状態とし（ステップＳ５６）、ＡＤＦユニット２０を閉状態でロックして、ステップＳ６１に進む。
【００８０】
ステップＳ６１〜ステップＳ６３では、原稿が取り忘れられたことを操作者に報知する制御が、図１５に示すように実行される。この場合には、まず、警告メールを所定の宛先に送信することが設定されているかを判断し、警告メールを所定の宛先に送信することが設定されている場合には（ステップＳ６１において「ＹＥＳ」）、設定された宛先に、ＭＦＰに原稿が置き忘れたことを警告するメールを送信する（ステップＳ６２）。警告メールを送信することの設定は、管理者によって予め設定されている。警告メールを送信することが設定されていない場合には（ステップＳ６１において「ＮＯ」）、音声情報、警告ブザー、警告ランプ等によって、ＭＦＰに原稿が置き忘れたことの警報を発する（ステップＳ６３）。その後は、操作者がＡＤＦユニット２０のロック状態を解除して原稿の取り出し操作をしなければ、ＡＤＦユニット２０のロック状態が維持されることになる。
【００８１】
本実施形態のＭＦＰでは、スキャナユニットのプラテンガラス１８上にセットされた原稿を操作者が取り除くことを忘れた場合に、ＡＤＦユニット２０が自動的に開動作することによって、操作者に対して原稿が取り忘れられていることを知らせられるが、この場合に、操作者が原稿を取り忘れて立ち去った場合には、ＡＤＦユニット２０が自動的に閉動作されることにより、原稿の内容を他人に知られることを未然に防止することができ、原稿のセキュリティ性を向上させることができる。
【００８２】
なお、原稿に、「すかし」、「コピー厳禁」等の文字画像が含まれている場合には、原稿がプラテンガラス１８上にセットされた状態で、原稿の画像をスキャナユニット１０によって画像を読み取って、その画像を処理することにより、「すかし」、「コピー厳禁」等の文字画像を抽出するように構成して、図９（ｂ）に示すように、原稿に「すかし」または「コピー厳禁」等の文字画像が設けられていることにより、それぞれ高いセキュリティレベル係数を設定するようにしてもよい。この場合には、セキュリティ制御の実行が設定されていない状態で、スキャナユニット１０による原稿の読み取り時に、原稿に設けられた「すかし」、「コピー厳禁」等の文字画像が抽出されることにより、セキュリティ制御が実行されることになる。
【００８３】
また、上記の実施形態において、全ての原稿の画像がスキャナユニット１０によって読み取られることによって、画像データを画像形成装置本体Ａに出力して、プリント指示する構成であったが、全ての原稿の画像がスキャナユニット１０によって読み取られても、スキャナユニット１０から原稿が取り出されるまでは、画像データを画像形成装置本体Ａに出力することを禁止して、プリント指示を行わないようにしてもよい。
【００８４】
さらには、図１３におけるステップＳ５１において原稿が取り除かれない場合には（ステップＳ５１において「ＮＯ」）、操作者が立ち去ったことを検出することなく、すなわち、ステップＳ５２をスキップして、ステップＳ５７に進んで、所定時間が経過することによって、ステップＳ５８に進んで警報を発するように構成してもよい。
さらに、上記の実施形態では、開閉駆動モータ３４におけるモータ軸の回転をロックすることによってＡＤＦユニット２０をロック状態とする構成であったが、ＡＤＦユニット２０に機械的に係合するフック部材をスキャナユニット１０に設けて、このフック部材を電気的に制御することによって、ＡＤＦユニット２０をロックおよびロック解除する構成としてもよい。
【産業上の利用可能性】
【００８５】
本発明は、原稿を自動搬送する自動原稿搬送装置と、自動原稿搬送装置によって搬送される原稿の画像を読み取るスキャナ装置とを有する画像読取装置において、スキャナユニット上に載置される原稿が取り忘れられた場合に、原稿の情報が他人によって知られることを防止することができる。
【符号の説明】
【００８６】
Ａ        画像形成装置本体
Ｂ        画像読取装置
１０      スキャナユニット
１２      第１スライダー
１３      第２スライダー
１４      操作パネル
１５ａ    第１原稿センサ
１５ｂ    第２原稿センサ
１７      ＣＣＤ
１８      プラテンガラス
１９      開閉スイッチ
２０      ＡＤＦユニット
２１      ＡＤＦユニット本体
２２      原稿給紙トレイ
２８      原稿ＲＦＩＤ受信器
３０      ヒンジ機構
３１      固定側ヒンジ体
３２      回動側ヒンジ体
３３      ヒンジ支点軸
３４      開閉駆動モータ
３７      回動角検出器
４１      スキャナＣＰＵ
５１      ＡＤＦ−ＣＰＵ
６５      システムＣＰＵ
６８      人体センサ
６９      操作者ＲＦＩＤ受信器
【図１】
2010219981.tif 000003
【図２】
2010219981.tif 000004
【図３】
2010219981.tif 000005
【図４】
2010219981.tif 000006
【図５】
2010219981.tif 000007
【図６】
2010219981.tif 000008
【図７】
2010219981.tif 000009
【図８】
2010219981.tif 000010
【図９】
2010219981.tif 000011
【図１０】
2010219981.tif 000012
【図１１】
2010219981.tif 000013
【図１２】
2010219981.tif 000014
【図１３】
2010219981.tif 000015
【図１４】
2010219981.tif 000016
【図１５】
2010219981.tif 000017